(57)【要約】【課題】留置針の全体的構成の小型化を図ることができると共に、血管に穿刺した際の血液モニターへの逆血の量を調整可能な留置針を提供する。【解決手段】内針７、外針１３及び使用後の内針７を覆うカバー３，５を備えてなる留置針において、前記内針７の基端部を支持した内針ハブ９に、前記内針７を患者に穿刺したときの血液を吸収する吸水性を備えかつ柔軟な血液モニター２３を備えており、前記血液モニター２３に対して血液がにじむ速度を調整可能な構成としてある。前記血液モニター２３は、細く長い紐状に形成してあり、前記カバー３，５は伸縮可能の構成である。【選択図】図１
2005323762.tif 000002
【特許請求の範囲】
【請求項１】
内針、外針及び使用後の内針を覆うカバーを備えてなる留置針において、前記内針の基端部を支持した内針ハブに、前記内針を患者に穿刺したときの血液を吸収する吸水性を備えかつ柔軟な血液モニターを備えていることを特徴とする留置針。
【請求項２】
請求項１に記載の留置針において、前記血液モニターに対して血液がにじむ速度を調整可能な構成としてなることを特徴とする留置針。
【請求項３】
請求項１又は２に記載の留置針において、前記血液モニターは、細く長い紐状に形成してあることを特徴とする留置針。
【請求項４】
請求項１，２又は３に記載の留置針において、前記カバーは伸縮可能の構成であることを特徴とする留置針。
【発明の詳細な説明】
【技術分野】
【０００１】
本発明は、留置針に係り、さらに詳細には、全体的構成の小型化を図ることができると共に、血液モニターへの逆血の量を調整可能な留置針に関する。
【背景技術】
【０００２】
留置針は、内針、外針及び針が血管に穿刺されたことを確認するために、逆血（フラッシュバック）を確認する血液モニターを備え、さらに安全のために使用後の内針及び前記血液モニターを覆うカバーを備えた構成が一般的である（特許文献１参照）。
【０００３】
上記特許文献１の記載に係る留置針５０は、図５に示すように、使用前の状態は筒状のカバー５１の開口端側に備えた内針ハブ係止手段５２によって、内針５３の基端部側を固定した内針ハブ５４の周溝状の係止部５５を係止した構成である。前記内針５３は、外針５６内に挿通してあり、上記外針５６の基端部側を一体的に支持した外針ハブ５７は、前記内針ハブ５４に嵌合してある。
【０００４】
前記内針ハブ５４には、針を血管に穿刺したときの逆血を確認するための中空状の血液モニター５８が形成してあると共に、この血液モニター５８には、空気は透過させるが血液は透過させないフィルタ５９が設けられている。さらに、前記内針ハブ５４には、前記カバー５１の外表面に設けた磁石６１と対向して反発する磁石６２が設けられている。そして、前記カバー５１の底部には、磁石６２を磁着する保持板６３が設けられている。
【特許文献１】特開２００２−１０２３４７号公報
【発明の開示】
【発明が解決しようとする課題】
【０００５】
留置針を患者の血管に穿刺したとき、血管確保には血液モニター内に血液が増え続けている状態であることが必要であるので、前記血液モニターの容積はある一定以上の容積であることが必要であった。したがって、前記血液モニターを短くしようとすると太くなり、細くすると長くなるという問題がある。
【０００６】
さらに、安全のために使用後に内針をカバーによって覆うには、カバーの長さは内針の長さに血液モニターの長さを加算した寸法以上の長さが必要であり、全体的な長さ寸法が大きくなるという問題がある。
【課題を解決するための手段】
【０００７】
本発明は、前述のごとき従来の問題に鑑みてなされたもので、内針、外針及び使用後の内針を覆うカバーを備えてなる留置針において、前記内針の基端部を支持した内針ハブに、前記内針を患者に穿刺したときの血液を吸収する吸水性を備えかつ柔軟な血液モニターを備えていることを特徴とするものである。
【０００８】
また、本発明は、上記留置針において、前記血液モニターに対して血液がにじむ速度を調整可能な構成としてなることを特徴とするものである。
【０００９】
また、本発明は、上記留置針において、前記血液モニターは、細く長い紐状に形成してあることを特徴とするものである。
【００１０】
また、本発明は、上記留置針において、前記カバーは伸縮可能の構成であることを特徴とするものである。
【発明の効果】
【００１１】
本発明によれば、留置針における内針を支持した内針ハブに、内針を患者に穿刺したときの血液を吸収する吸水性を備え、かつ柔軟な血液モニターを備えた構成であるから、留置針を患者の血管に穿刺したときの逆血による血液は血液モニターににじむものであり、血管の確保を容易に確認することができる。そして、血液モニターを細くすることが可能であり、全体的構成を細くすることができる。また、使用後には、前記血液モニターを例えば折り畳むように縮小することができ、破棄するときの長さを、内針より僅かに長い寸法程度に短くすることができるものである。
【発明を実施するための最良の形態】
【００１２】
図１を参照するに、本発明の実施形態に係る留置針１は、一端側を開口して他端側を閉じた態様の透明な筒状の外筒３を備えており、この外筒３内には透明な内筒５が一端側から突出可能に内装されている。この内筒５の先端側には、内針７の基端部側を支持した内針ハブ９が支持されている。そして、前記内針ハブ９の先端部には外針ハブ１１が着脱可能に嵌合してあり、この外針ハブ１１には前記内針７を挿入した外針１３の基端部が一体に支持されている。
【００１３】
前記外筒３の一端部すなわち開口端側には、当該外筒３の軸心に対して直交する方向へ移動可能な環状のロック片１５を備えた操作部材１７が設けられている。上記ロック片１５は、留置針１の使用前の状態においては前記内筒５及び内針ハブ９を不動状態にロック固定する作用をなすものである。
【００１４】
すなわち、環状のロック片１５の下辺部は、前記内筒５の下側に形成した切欠き状の係止凹部５Ａ（図２参照）及びこの係止凹部５Ａを通過して、前記内針ハブ９の大径部の下側に形成した係止凹部９Ａに係合してある。したがって、前記内筒５と内針ハブ９は、留置針１の使用前の状態においては、ロック片１５がそれぞれの係止凹部５Ａ、９Ａに係合していることにより、前記ロック片１５を介して一体的に固定された状態にある。
【００１５】
そして、前記内筒５の先端側内面と前記内針ハブ９の前記大径部との間には、例えば圧縮したコイルスプリング等のごとき弾性部材１９が弾装してある。したがって、前記操作部材１７を押し下げて、前記内筒５の係止凹部５Ａ及び内針ハブ９の係止凹部９Ａからロック片１５の下辺部を離脱すると、圧縮された状態にある前記弾性部材１９が延びることとなり、前記内筒５は外筒３から突出するように移動され、内針ハブ９は外筒３の底部側へ移動されることになる。
【００１６】
したがって、内針７は外筒３及び内筒５によって覆われるものである。すなわち、前記外筒３及び内筒５は前記内針７を覆う一種のカバーをなすものである。
【００１７】
前記内針ハブ９には、図３に示すように、前記内針７の基端部に開口した小さな空間部２１が形成してあり、この空間部２１には細く長い紐状（線状、筋状の場合をも含むものとする）の血液モニター２３の一端部が挿入してあって、前記空間部２１の開口部を閉じる栓部材２５によって固定されている。なお、前記空間部２１の開口部を、例えばテーパ状に形成することにより、空間部２１に対する前記栓部材２５の挿入量を調整することにより、前記血液モニター２３の締付力を調整可能である。
【００１８】
前記血液モニター２３は、吸水性を有しかつ柔軟な性質を有する部材、例えばフェルトによって構成してあり、針を患者の血管に穿刺したときの逆血による血液が前記空間部２１から外部へにじみ出ることができるように設けてある。なお、前記空間部２１から血液モニター２３を伝って外部へにじみ出る速度は、前記栓部材２５による締付力を予め調整しておくことにより調整可能である。
【００１９】
以上のごとき構成において、図１に示すように、前記内筒５と内針ハブ９とが、前述したようにロック片１５によって一体的に固定された状態にあるときには、前記血液モニター２３は内筒５内において直線状に延びた状態にある。そして、針を患者の血管に穿刺すると、逆血により内針ハブ９の空間部（中空部）２１内に血液が流入する。
【００２０】
前記空間部２１内の血液は血液モニター２３を介して外部ににじみ出るので、このときのにじみ速度を視認することにより、患者の血管の確保を確認することができる。そして、針先が血管を確保したことを確認した後、前述したように、操作部材１７を操作して内筒５と内針ハブ９との固定を解除すると、弾性部材１９の作用によって内針７は外針１３から抜き出されると共に、内筒５が外筒３から突出するように移動されることになる。
【００２１】
上述のように、外針１３から内針７が抜き出され、かつ内筒５が外筒３から突出するように移動されると、前記血液モニター２３は、外筒３の底部と内針ハブ９との間に折り畳むように押し潰されることになる。そして、内筒５の先端部は内針７の先端部よりも突出して、内針７の先端部を覆って安全性を確保することになる。この際、外筒３から内筒５が突出した状態での全体の長さは、前記内針７の長さよりも僅かに長ければよいものであり、廃棄するときの全体的長さを短くすることができるものである。
【００２２】
また、前記構成においては、細い紐状の血液モニター２３に血液がにじみ出ることにより、針先が患者の血管を確保したことを確認できるので、前記空間部２１の容量は、内針７の基端部と血液モニター２３とを接続するに充分な容量でよく、極めて小さくすることができるものである。したがって、内針ハブ９の径を小さく、又長さを短くすることができ、留置針１全体を細く短くすることができ、穿刺し易くなるものである。
【００２３】
さらに、前記構成においては、血液モニター２３に対して血液がにじみ出る速度を調整可能であるから、患者の出血量を少なく抑制することができるものである。
【図面の簡単な説明】
【００２４】
【図１】本発明の実施形態に係る留置針の使用前の状態を示す説明図である。
【図２】内針を廃棄する場合の状態を示す説明図である。
【図３】使用前の内針及び血液モニターの状態を示す説明図である。
【図４】使用後の廃棄時の血液モニターの状態を示す説明図である。
【図５】従来の留置針の構成を示す説明図である。
【符号の説明】
【００２５】
１…留置針
３…外筒
５…内筒
７…内針
９…内針ハブ
１３…外針
１７…操作部材
１９…弾性部材
２１…空間部
２３…血液モニター
２５…栓部材
【図１】
2005323762.tif 000003
【図２】
2005323762.tif 000004
【図３】
2005323762.tif 000005
【図４】
2005323762.tif 000006
【図５】
2005323762.tif 000007